(57)【要約】【課題】  デジタル放送データに含まれる番組情報データを利用してアナログ放送データを制御可能な電子機器を提供する。【解決手段】  地上アナログ放送の所望の番組をＨＤＤに録画予約する場合（ステップ  Ｓ２００  Ｙｅｓ）、リモートコントローラを操作することでＬＣＤに表示されている地上デジタル放送番組内容を示すＥＰＧから所望の番組を選択し、ＣＰＵはメインメモリに記憶されているＥＰＧデータおよびチャネル変換テーブルを用いてアナログチューナがどの地上アナログ放送データのチャネルを選択するかを決定する（ステップ  Ｓ２０２）。【選択図】  図６
2006129238.tif 000002
【特許請求の範囲】
【請求項１】
アナログ放送のアナログ放送データを受信するアナログ放送データ受信部と、
前記アナログ放送の番組データと同一番組データを放送するデジタル放送のデジタル放送データを受信するデジタル放送データ受信部と、
前記デジタル放送データ受信部によって受信されたデジタル放送データから前記デジタル放送の番組のチャネル情報を含む番組情報を抽出する手段と、
前記デジタル放送の番組のチャネル情報を前記アナログ放送の番組のチャネル情報に変換する変換手段と、
前記アナログ放送データ受信部は、前記変換することで生成された前記アナログ放送の番組のチャネル情報を用いて前記アナログ放送データを受信することを特徴とする電子機器。
【請求項２】
前記変換手段によって生成された前記アナログ放送の番組のチャネル情報を含む番組情報を記憶する記憶部と、
前記記憶部に記憶された前記アナログ放送の番組のチャネル情報を含む番組情報を表示する表示部と、
を具備することを特徴とする請求項１記載の電子機器。
【請求項３】
アナログ放送のアナログ放送データをアナログ放送データ受信部で受信し、
前記アナログ放送の番組データと同一番組データを放送するデジタル放送のデジタル放送データをデジタル放送データ受信部で受信し、
前記デジタル放送データ受信部によって受信されたデジタル放送データから前記デジタル放送の番組のチャネル情報を含む番組情報を抽出し、
前記デジタル放送の番組のチャネル情報を前記アナログ放送の番組のチャネル情報に変換し、
前記アナログ放送データ受信部は、前記変換することで生成された前記アナログ放送の番組のチャネル情報を用いて前記アナログ放送データを受信することを特徴とするアナログ放送データ制御方法。
【請求項４】
前記変換することで生成された前記アナログ放送の番組のチャネル情報を記憶し、
前記記憶された前記アナログ放送の番組のチャネル情報を含む番組情報を表示することを特徴とする請求項３記載のアナログ放送データ制御方法。
【発明の詳細な説明】
【技術分野】
【０００１】
本発明は、サイマルキャストで同一番組を放送するアナログ放送およびデジタル放送を受信可能な電子機器およびアナログ放送データ制御方法に関する。
【背景技術】
【０００２】
近年、デジタル信号圧縮技術を用いて映像・音声信号を圧縮するとともに、複数番組の映像・音声デジタル信号を時分割多重化したトランスポートストリームを放送する地上デジタル放送が開始され普及しつつある。
【０００３】
放送業者が地上デジタル放送サービスを日本中に亘って、十分に普及させるのに時間を要するので、地上デジタル放送サービスが開始されたとしても、地上デジタル放送サービスが十分に普及されるまでの間は、従来からの地上アナログ放送サービスしか受けられない世帯が生じる。
【０００４】
従って、地上デジタル放送サービスが十分に普及されるまでの間、放送業者は地上アナログ放送サービスおよび地上デジタル放送サービスの両放送サービスにて同一番組を放送するサイマル放送という放送スタイルで放送サービスを展開する。
【０００５】
アナログ放送とデジタル放送とがサイマルキャストで同一番組を放送している場合において、アナログ放送を受信することで取得するＥＰＧデータおよびデジタル放送を受信することで取得するＥＰＧデータを用いて、アナログ放送とデジタル放送とが同一番組を放送しているかどうかを判断し、サイマルキャストのアナログ放送を受信している場合にはデジタル放送で同一番組が放送されている旨のメッセージを画面に表示させる技術があった（特許文献１参照。）。
【特許文献１】特開２００４−１７９７１８号公報（第５乃至６頁、第３および４図）
【発明の開示】
【発明が解決しようとする課題】
【０００６】
特許文献１に開示される技術では、アナログチューナで受信したアナログ放送データから取り出されたＥＰＧデータを使用している。
【０００７】
しかしながら、アナログ放送データからＥＰＧデータを取得するには、例えばＡＤＡＭＳ−ＥＰＧといったサービスに加入していなければならない。
【０００８】
一方、地上デジタル放送サービスでは、地上デジタル放送データの中にＥＰＧデータ（番組情報データ）が標準で含まれているので、地上デジタル放送サービスを受けると同時に地上デジタル放送データの中に含まれるＥＰＧデータを使用することが可能である。
【０００９】
そこで、本発明は、デジタル放送データに含まれる番組情報データを利用してアナログ放送データを制御可能な電子機器を提供することを目的とする。
【課題を解決するための手段】
【００１０】
上記目的を達成するために、請求項１に係る発明では、アナログ放送のアナログ放送データを受信するアナログ放送データ受信部と、アナログ放送の番組データと同一番組データを放送するデジタル放送のデジタル放送データを受信するデジタル放送データ受信部と、デジタル放送データ受信部によって受信されたデジタル放送データからデジタル放送の番組のチャネル情報を含む番組情報を抽出する手段と、デジタル放送の番組のチャネル情報をアナログ放送の番組のチャネル情報に変換する変換手段と、アナログ放送データ受信部は、変換することで生成されたアナログ放送の番組のチャネル情報を用いてアナログ放送データを受信することを特徴とする
また、請求項３に係る発明では、アナログ放送のアナログ放送データをアナログ放送データ受信部で受信し、アナログ放送の番組データと同一番組データを放送するデジタル放送のデジタル放送データをデジタル放送データ受信部で受信し、デジタル放送データ受信部によって受信されたデジタル放送データからデジタル放送の番組のチャネル情報を含む番組情報を抽出し、デジタル放送の番組のチャネル情報をアナログ放送の番組のチャネル情報に変換し、アナログ放送データ受信部は、変換することで生成されたアナログ放送の番組のチャネル情報を用いてアナログ放送データを受信することを特徴とする。
【発明の効果】
【００１１】
本発明によれば、デジタル放送データに含まれる番組情報データを利用してアナログ放送データを制御可能な電子機器およびアナログ放送データ制御方法を提供することが可能である。
【発明を実施するための最良の形態】
【００１２】
以下本発明に係る実施の形態を、図面を参照して説明する。
【００１３】
まず、図１および図２を参照して、本発明の一実施形態に係る情報処理装置の構成について説明する。この情報処理装置は、例えば、ノートブック型パーソナルコンピュータ１として実現されている。
【００１４】
図１はノートブック型パーソナルコンピュータ（以下、コンピュータと称す。）１のディスプレイユニットを開いた状態における正面図である。コンピュータ１は本体２とディスプレイユニット３とから構成される。
【００１５】
ディスプレイユニット３には、ＬＣＤ（Liquid Crystal Display）２１２から構成される表示装置が組み込まれており、ＬＣＤ２１２はディスプレイユニット３のほぼ中央に位置される。ディスプレイユニットであるＬＣＤ２１２は、コンピュータ本体２に対して開放位置と閉塞位置との間を回動自在に取り付けられている。ディスプレイユニット３の上部にアンテナ１１９が内蔵される。
【００１６】
コンピュータ本体２は薄い箱形の筐体を有しており、上面には例えばキーボードユニットである入力装置２０９などが配置されている。
【００１７】
入力装置２０９は英字、カナ、数字、記号などが刻印されたキーで構成され、ユーザがこれらのキーを押下すると、キーに割り当てられた文字がコンピュータ１に入力される。
【００１８】
また、本体２には地上デジタル放送データを受信するデジタルチューナ１００および地上アナログ放送データを受信するアナログチューナ１０７が内蔵される。デジタルチューナ１００およびアナログチューナ１０７はアンテナ１１９に接続される。これらのデジタルチューナ１００およびアナログチューナ１０７は、地上アナログ放送サービスおよび地上デジタル放送サービスの両放送サービスにて同一番組を放送するサイマル放送に対応可能なチューナである。
【００１９】
次に、図２を参照して、コンピュータ１のシステム構成の一例について説明する。
【００２０】
コンピュータ１は、ＡＶ部１０とシステム部２０とを有する。ＡＶ部１０は、デジタルチューナ１００、デマルチプレクサ（Ｄｅｍｕｘ）１０１、ＶｉｄｅｏＤｅｃｏｒｄｅｒ１０２、ＡｕｄｉｏＤｅｃｏｒｄｅｒ１０３、ＮＴＳＣエンコーダ１０４、ＡｕｄｉｏＤＡＣ１０５、マルチプレクサ（Ｍｕｘ）１０６、アナログチューナ１０７、ＮＴＳＣデコーダ１０８、音声多重デコーダ１０９、オーディオＡＤＣ１１０、ＭＰＥＧエンコーダ１１１、ストリーム制御部１１２、ＭＰＥＧデコーダ１１３、ＮＴＳＣエンコーダ１１４、オーディオＤＡＣ１１５、ＯＳＤ回路１１６、オーディオアンプ１１７、ビデオアンプ１１８等を備えており、ＰＣＩインタフェース２０７を介してシステム部２０と接続される。
【００２１】
デジタルチューナ１００は地上デジタル放送対応のチューナである。デジタルチューナ１００は、アンテナ１１９で受信された電波の中から所定の周波数（チャネル）を選択し、選択したデジタル変調信号を復調処理することで生成された例えばＭＰＥＧ２規格に準じるトランスポートストリームをＤｅｍｕｘ１０１に送出する。トランスポートストリームには複数のチャンネルが多重化される。デジタルチューナ１００にて生成されるトランスポートストリームはＰＣＩ  Ｉ／Ｆ２０７を介してシステム部２０側に送出することも可能である。
【００２２】
Ｄｅｍｕｘ１０１はトランスポートストリームを、例えばＭＰＥＧ２（Ｍｏｖｉｎｇ  Ｐｉｃｔｕｒｅ  Ｅｘｐｅｒｔｓ  Ｇｒｏｕｐ２）規格に準じたビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。Ｄｅｍｕｘ１０１は、ビデオストリームをビデオデコーダ１０２に送出し、オーディオストリームをオーディオデコーダ１０３に送出し、ＰＳＩ／ＳＩをＰＣＩ  Ｉ／Ｆ２０７を介してシステム部２０側に送出する。
【００２３】
ビデオデコーダ１０２はビデオストリームを復号してデジタルビデオデータを生成し、ＮＴＳＣエンコーダ１０４に送出する。一方、オーディオデコーダ１０３はオーディオストリームを復号してデジタル音声データを生成し、オーディオＤＡＣ１０５に送出する。
【００２４】
ＮＴＳＣエンコーダ１０４はビデオデコーダ１０２から送出されるデジタルビデオデータをＮＴＳＣ規格に準じたアナログビデオ信号に変換する。一方、オーディオＤＡＣ１０５はオーディオデコーダ１０３から送出されるデジタル音声データをアナログ音声信号に変換する。
【００２５】
アナログチューナ１０７は地上アナログ放送対応のチューナである。アナログチューナ１０７は、例えばリモコンユニットから受信要求されたチャネルの放送番組データに係る周波数を選択し、復調処理を行った後、映像信号と音声信号とに分離するデバイスである。
【００２６】
ＮＴＳＣデコーダ１０８は、アナログチューナ１０７から送出されるＮＴＳＣ規格に準じた映像信号（ＮＴＳＣ信号）をデジタル信号に変換する。一方、音声多重デコーダ１０９は、アナログチューナ１０７から出力される音声信号に含まれるサブキャリア信号を検出し、音声多重復調を行うことで、アナログ音声信号を取り出すデバイスである。
【００２７】
オーディオＡＤＣ１１０は、音声多重デコーダ１０９において取り出されるアナログ音声信号をデジタル音声信号に変換する。
【００２８】
ＭＰＥＧエンコーダ１１１は、ＮＴＳＣデコーダ１０８で変換されたデジタル映像信号とオーディオＡＤＣ１１０で変換されたデジタル音声信号との間で同期をとり、これらのデジタル信号をＭＰＥＧ方式に従って符号圧縮化を行うことで、ストリームデータを作成する。
【００２９】
ストリーム制御部１１２は、ＭＰＥＧエンコーダ１１１で作成されたストリームデータを一時的に蓄え、後述で説明するハードディスク（ＨＤＤ）２０５へ送信し、また、ハードディスク２０５に記憶されているストリームデータを受信することで一時的に蓄え、後述で説明するＭＰＥＧデコーダ１１３へストリームデータを送信する。
【００３０】
ＭＰＥＧデコーダ１１３は、ストリーム制御部１１２から送信されるストリームデータを受信し、ＭＰＥＧ方式に従って符号圧縮化されたデータからデジタル映像データとデジタル音声データとを生成する。
【００３１】
ＮＴＳＣエンコーダ１１４は、ＭＰＥＧデコーダ１１３から出力されるデジタル映像データをＮＴＳＣ規格に準じたアナログ映像信号に変換する。一方、オーディオＤＡＣ１１５は、ＭＰＥＧデコーダ１１３から出力されるデジタル音声データをアナログ音声信号へ変換する。
【００３２】
Ｍｕｘ１０６には、デジタル放送によるアナログ映像信号（ＮＴＳＣエンコーダ１０４によって生成された信号）およびアナログ音声信号（オーディオＤＡＣ１０５によって生成された信号）とアナログ放送によるアナログ映像信号（ＮＴＳＣエンコーダ１１４によって生成された信号）およびアナログ音声信号（オーディオＤＡＣ１１５によって生成された信号）が入力される。Ｍｕｘ１０６は例えばＣＰＵ２００からの指示によってデジタル放送によるアナログ映像／音声信号およびアナログ放送によるアナログ映像／音声信号のうちのいずれかの放送のアナログ映像／音声信号を選択する。また、Ｍｕｘ１０６には、後述にて説明するＯＳＤ回路１１６から出力されるＯＳＤ信号が入力され、ＯＳＤ信号をアナログ映像信号に組み込む。
【００３３】
オーディオＡＭＰ１１７はＭｕｘ１０６から送出されるアナログ音声信号を増幅し、音声信号として出力する。一方、ビデオアンプ１１８はＭｕｘ１０６から送出されるアナログ映像信号を増幅し、ビデオ信号として出力する。
【００３４】
オーディオＡＭＰ１１７とビデオＡＭＰ１１８から出力される音声信号およびビデオ信号は、例えばコンピュータ１に接続されるテレビ受像機に入力され再生される。
【００３５】
ＯＳＤ（Ｏｎ  Ｓｃｒｅｅｎ  Ｄｉｓｐｌａｙ）回路１１６は、文字情報や色情報に基づくデータを処理し、ＯＳＤ信号をＭｕｘ１０６に出力する。ＯＳＤ回路１１６から出力されるＯＳＤ信号に基づいて、例えばコンピュータ１に接続されるテレビ受像機の画面にＥＰＧ（Ｅｌｅｃｔｒｏｎｉｃ  Ｐｒｏｇｒａｍ  Ｇｕｉｄｅ：電子番組ガイド）や設定メニュー等を表示することが可能となる。次にシステム部２０の構成について説明する。
【００３６】
システム部２０は、ＣＰＵ２００、ＮｏｒｔｈＢｒｉｄｇｅ２０１、ＳｏｕｒｔｈＢｒｉｄｇｅ２０２、メインメモリ２０３、グラフィックコントローラ（Ｇｆｘ）２０４、ＬＣＤ２１２、ＨＤＤ２０５、コントローラ２０６、ＰＣＩ  Ｉ／Ｆ２０７、リモコンコントローラ２０８、入力装置２０９、リモコンユニット２１０および電源部２１１等から構成される。
【００３７】
ＣＰＵ２００は、コンピュータ１全体の制御、及びデータの演算等を行なう。ＣＰＵ２００に接続されるＮｏｒｔｈＢｒｉｄｇｅ２０１にはＳｏｕｒｔｈＢｒｉｄｇｅ２０２、メインメモリ２０３およびグラフィックコントローラ２０４が接続される。
【００３８】
メインメモリ２０３は、ＯＳ（Ｏｐｅｒａｔｉｎｇ  Ｓｙｓｔｅｍ）、デバイスドライバ、実行対象のアプリケーションプログラム及び処理データ等が格納される。
【００３９】
グラフィックコントローラ２０４は、ＬＣＤ２１２に表示されるデータを処理制御する。ＬＣＤ２１２はグラフィックコントローラ２０４で処理制御されたデータを表示する。
【００４０】
ＮｏｒｔｈＢｒｉｄｇｅ２０１に接続されるＳｏｕｒｔｈＢｒｉｄｇｅ２０２にはＰＣＩ  Ｉ／Ｆ２０７、ＨＤＤ２０５およびコントローラ２０６が接続される。
【００４１】
ＰＣＩ  Ｉ／Ｆ２０７は、ＳｏｕｔｈＢｒｉｄｇｅ２０２に接続されるＰＣＩバスと他のバスとのインタフェースである。
【００４２】
ＡＶ部１０側のデジタルチューナ１００またはストリーム制御部１１２から送出される例えばＭＰＥＧ２形式のストリームデータはＰＣＩ  Ｉ／Ｆ２０７を介してシステム部２０側に入力される。ＰＣＩ  Ｉ／Ｆ２０７を介してシステム部２０側に入力されたＭＰＥＧ２形式のストリームデータはＨＤＤ２０５に記憶され、または、該ストリームデータはＣＰＵ２００およびグラフィックコントローラ２０４でデコード処理されＬＣＤ２１２に表示される。
【００４３】
また、システム側のＨＤＤ２０５に記憶されているＭＰＥＧ２形式のストリームデータはＰＣＩ  Ｉ／Ｆ２０７を介してＡＶ部側に入力される。ＰＣＩ  Ｉ／Ｆ２０７を介してシステム部２０側に入力されたＭＰＥＧ２形式のストリームデータは例えばストリーム制御部１１２を介してＭＰＥＧデコーダ１１３、ＮＴＳＣエンコーダ１１４、オーディオＤＡＣ１１５、Ｍｕｘ１０６、オーディオＡＭＰ１１７、ビデオＡＭＰ１１８にて処理され、コンピュータ１に接続される例えばテレビ受像機に入力されることで再生される。
【００４４】
ＨＤＤ２０５には、ＯＳ、デバイスドライバ、実行対象のアプリケーションプログラム、例えば前述で説明したＭＰＥＧエンコーダ１１１で生成されるストリームデータを初めとするデータ等が記憶されている。これら記憶されている情報は、適時メインメモリ２０３にロードされる。
【００４５】
コントローラ２０６には、リモコンコントローラ２０８、入力装置２０９および電源部２１１が接続される。
【００４６】
リモコンコントローラ２０８は、リモコンユニット２１０から送信される例えば放送番組録画開始要求等を受信し、コントローラ２０６を介してＡＶ部１０を制御する。
【００４７】
入力装置２０９は、例えばコンピュータ１に設けられる放送番組録画開始ボタン等であり、入力装置２０９から入力された制御内容等はコントローラ２０６を介して、ＡＶ部１０を制御する。
【００４８】
電源部２１１はコンピュータ１を構成するコンポーネントに供給される電源である。次に、デジタルチューナ１００によって取得されるＭＰＥＧ２規格に準じるトランスポートストリームからＥＰＧを生成する手順について説明する。
【００４９】
図３は、デジタルチューナによって取得されるＭＰＥＧ２規格に準じるトランスポートストリームからＥＰＧデータを生成する手順の一例を説明するフローチャートである。
【００５０】
ユーザが例えばコンピュータ１のメイン電源スイッチをオンにすることで、ＡＶ部１０を構成する各コンポーネントに電源部２１から電源が供給される。従って、デジタルチューナ１００およびＤｅｍｕｘ１０１に電源部２１から電源が供給される（ステップ  Ｓ１００）。
【００５１】
デジタルチューナ１００に電源が供給されると、デジタルチューナ１００は高周波デジタル変調信号を処理することでトランスポートストリームを生成する（ステップ  Ｓ１０１）。
【００５２】
デジタルチューナ１００はトランスポートストリームをＤｅｍｕｘ１０１に送出する。Ｄｅｍｕｘ１０１はトランスポートストリームを分離することで、ＰＳＩを取得する（ステップ  Ｓ１０２）。
【００５３】
Ｄｅｍｕｘ１０１はＰＳＩをＰＣＩ  Ｉ／Ｆ２０７を介してシステム部２０側に設けられるＣＰＵ２００に送出する。ＣＰＵ２００はＰＳＩを用いてＥＰＧデータを生成する（ステップ  Ｓ１０３）。
【００５４】
ＣＰＵ２００はＥＰＧデータをメインメモリ２０３に記憶させる（ステップ  Ｓ１０４）。メインメモリ２０３に記憶されるＥＰＧデータの一例を図４に示す。図４に示すＥＰＧデータの一例の構成は、「番組タイトル」に「チャネル」、「放送開始時刻」、「放送終了時刻」、「出演者」等を関連付けた構成である。例えば、「番組タイトル」が（金曜スペシャル）である場合、「チャネル」は（１０２ｃｈ）、「放送開始時刻」は（２０時）、「放送終了時刻」は（２１時）、「出演者」は（徳  別子）といった具合に関連づけられる。
【００５５】
さらにユーザが例えばリモートコントローラ２０８等を操作することでＬＣＤ２０５に地上デジタル放送用のＥＰＧを表示するよう操作した場合、メインメモリ２０３に記憶されているＥＰＧデータはＧｆｘ２０４等で処理制御されＬＣＤ２０５に表示される（ステップ  Ｓ１０５）。ＬＣＤ２０５に表示される地上デジタル放送番組内容を示すＥＰＧの一例を図５に示す。次にアナログチューナ１０７によって取込まれるアナログ放送データをＥＰＧデータを用いて制御する手順について説明する。
【００５６】
図６は、アナログチューナ１０７によって取込まれるアナログ放送データをＥＰＧデータを用いて制御する手順の一例を示すフローチャートである。
【００５７】
ユーザがＬＣＤ２０５に表示されている例えば地上デジタル放送番組内容を示すＥＰＧを見ながら地上アナログ放送の所望の番組をＨＤＤ２０５に録画予約する場合（ステップ  Ｓ２００  Ｙｅｓ）、リモートコントローラ２０８等を操作することで、図５に示される番組群の中から所望の番組を選択する。例えば図５に示される地上デジタル放送番組内容を示すＥＰＧにて、１０１ｃｈの２０時から放送される（金曜スペシャル）をＨＤＤ２０５に録画したい場合、リモートコントローラ２０８を操作して（金曜スペシャル）を選択反転させる。
【００５８】
ユーザがリモートコントローラ２０８を操作して（金曜スペシャル）を選択反転させると、ＣＰＵ２００は、メインメモリ２０３に記憶されている図４を用いて説明したＥＰＧデータの「番組タイトル」が（金曜スペシャル）である行のデータをリードする。
【００５９】
さらにＣＰＵ２００は、メインメモリ２０３に記憶されるチャネル変換テーブル（図７参照）のデータの中で、「地上デジタル放送」が（１０１ｃｈ）である列のデータ群のうち「地上アナログ放送」が（１ｃｈ）のデータをリードする（ステップ  Ｓ２０１）。
【００６０】
ＣＰＵ２００は、メインメモリ２０３に記憶されるチャネル変換テーブルからリードした「地上アナログ放送」＝（１ｃｈ）というデータを用いて、アナログチューナ１０７が地上アナログ放送データの１ｃｈに関連付けられている周波数を選択するように制御する（ステップ  Ｓ２０２）。
【００６１】
さらに、ＣＰＵ２００は、メインメモリ２０３からリードした「放送開始時刻」＝（２０時）、「放送終了時刻」＝（２１時）等のデータを用いてストリーム制御部１１２等を制御することで、地上アナログ放送の所望の番組データをＭＰＥＧエンコードした形式でＨＤＤ２０５に記憶させる（ステップ  Ｓ２０３）。
【００６２】
なお、ユーザがＬＣＤ２０５に表示されている例えば地上デジタル放送番組内容を示すＥＰＧを見ながら地上アナログ放送の所望の番組をＨＤＤ２０５に録画予約する場合を説明したが、メインメモリ２０３に記憶されるチャネル変換テーブルを用いてメインメモリ２０３に記憶されるＥＰＧデータの地上デジタル放送のチャネルの値を地上アナログ放送のチャネルの値に変換し、変換後のＥＰＧデータを用いて、ＬＣＤ２０５に地上アナログ放送番組内容を示すＥＰＧ（図８参照）を表示させ、地上アナログ放送の所望の番組をＨＤＤ２０５に録画予約することも可能である。
【００６３】
図３ないし図７を用いて説明したように、ＣＰＵ２００は地上デジタル放送データに含まれるＥＰＧデータをメインメモリ２０３に記憶させ、該記憶されたＥＰＧデータおよびチャネル変換テーブルを用いて所定の制御を行うことで、例えばアナログ放送データに含まれるＥＰＧデータやインターネット３００経由で取得可能なｉＥＰＧデータを用いることなく、例えば地上アナログ放送を録画することが可能となる。
【００６４】
なお、地上アナログ放送と地上デジタル放送とのサイマル放送を例に挙げ本発明の一実施形態を説明したが、ＢＳアナログ放送とＢＳデジタル放送とのサイマル放送においても、本発明の一実施形態の説明内容を適用することが可能である。
【００６５】
また、本発明の一実施形態として、Ｄｅｍｕｘ１０１にてＰＳＩ／ＳＩを取り出す構成を説明したが、デジタルチューナ１００から送出されるトランスポートストリームをシステム部２０側のＣＰＵ２００およびメインメモリ２０３等を用いてソフトウェアのＤｅｍｕｘで処理することでＰＳＩ／ＳＩを取り出す構成でもよい。
【００６６】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００６７】
【図１】ノートブック型パーソナルコンピュータのディスプレイユニットを開いた状態における正面図。
【図２】コンピュータのシステム構成を示したブロック図。
【図３】デジタルチューナによって取得されるＭＰＥＧ２規格に準じるトランスポートストリームからＥＰＧデータを生成する手順の一例を説明するフローチャート。
【図４】メインメモリに記憶されるＥＰＧデータの一例。
【図５】ＬＣＤに表示される地上デジタル放送番組内容を示すＥＰＧの一例。
【図６】アナログチューナによって取込まれるアナログ放送データをＥＰＧデータを用いて制御する手順の一例を示すフローチャート。
【図７】メインメモリに記憶されるチャネル変換テーブル。
【図８】ＬＣＤに表示される地上アナログ放送番組内容を示すＥＰＧの一例。
【符号の説明】
【００６８】
１…ノートブック型パーソナルコンピュータ、２…本体、
３…ディスプレイユニット、２１２…ＬＣＤ、２０９…キーボードユニット、
【図１】
2006129238.tif 000003
【図２】
2006129238.tif 000004
【図３】
2006129238.tif 000005
【図４】
2006129238.tif 000006
【図５】
2006129238.tif 000007
【図６】
2006129238.tif 000008
【図７】
2006129238.tif 000009
【図８】
2006129238.tif 000010